(57)【要約】【課題】  金属スリーブの押し込み時に段差によって樹脂スリーブを拡径可能な二重構造の防食スリーブの改良に関するものであって、その目的とするところは、より押し込み作業をしやすくすると共に、拡径の程度も大きく確保して密着性の向上と汎用性のある防食スリーブを提供する。【解決手段】  樹脂スリーブに金属スリーブを密挿可能に構成してなる防食スリーブであって、前記金属スリーブはその外周面に上方に向かって漸次拡径するくさび部を形成してなり、前記樹脂スリーブを拡径可能に密挿するように構成した。好ましくは、樹脂スリーブはその内周面を上段大径部と下段小径部の二段に構成する一方、金属スリーブはその外周面を前記上段大径部と下段小径部の段差に予め係合される下端係合部と、前記上段大径部に予め挿通され、且つ、前記下段小径部を拡径可能に密挿される中間円筒部と、前記上段大径部を拡径可能に密挿される上段くさび部の三段に構成する。【選択図】        図１
2006010047.tif 000002
【特許請求の範囲】
【請求項１】
樹脂スリーブに金属スリーブを密挿可能に構成してなる防食スリーブであって、前記金属スリーブはその外周面に上方に向かって漸次拡径するくさび部を形成してなり、前記樹脂スリーブを拡径可能に密挿するように構成したことを特徴とする防食スリーブ。
【請求項２】
樹脂スリーブはその内周面を上段大径部と下段小径部の二段に構成する一方、金属スリーブはその外周面を前記上段大径部と下段小径部の段差に予め係合される下端係合部と、前記上段大径部に予め挿通され、且つ、前記下段小径部を拡径可能に密挿される中間円筒部と、前記上段大径部を拡径可能に密挿される上段くさび部の三段に構成した請求項１記載の防食スリーブ。
【請求項３】
樹脂スリーブの内周面における上段大径部と金属スリーブの上段くさび部の高さを一致させた請求項２記載の防食スリーブ。
【請求項４】
樹脂スリーブはその外周面上段に肉厚の膨成部を設けた請求項１、２または３記載の防食スリーブ。
【請求項５】
金属スリーブの外周に環状凸部を設けると共に、該金属スリーブを樹脂スリーブに所定量挿通した状態において、樹脂スリーブの内周には前記環状凸部が係脱可能な環状凹溝を設けた請求項１から４のうち何れか一項記載の防食スリーブ。
【発明の詳細な説明】
【技術分野】
【０００１】
この発明は、水道本管などの金属に開孔した場合に露出する金属の防食を目的とした防食スリーブに関するものである。
【背景技術】
【０００２】
従来から水道本管などに分岐管を設ける場合には、先ず本管に開孔を施し、開孔周面の防食のためにスリーブを密挿するが、より従来のスリーブは金属製であったため、当該金属スリーブと通水口および穿孔された開孔の間に若干の隙間ができた場合には、その部分に錆こぶが発生するという問題があった。これに対して、素材をゴムで形成した密着スリーブも公知であるが、この場合には開孔に打ち込むときに強すぎればゴムが座屈して施工不具合が発生する。また、穿孔は一般的には平滑面ではないので、ゴムが鋭利な箇所に接触した状態で打ち込まれればゴム表面が切削され、十分な防食効果を期待することができない場合が生ずる。
【０００３】
そこで、金属製スリーブおよびゴム製スリーブそれぞれが有する欠点を一挙解消するために、本出願人は樹脂スリーブに金属スリーブを密挿可能に組み合わせてなる二重構造の防食スリーブを既に開示している（例えば、特許文献１、２参照）。
【０００４】
【特許文献１】実開平７−２３８９２号公報
【特許文献２】特開２００１−３０４４８７号公報
【発明の開示】
【発明が解決しようとする課題】
【０００５】
特許文献１に開示の防食スリーブは、金属スリーブによって剛性を確保し、樹脂スリーブによって密着性を確保することができるが、樹脂スリーブ内に金属スリーブを密に挿通させるために金属スリーブの断面形状を複雑にしている。従って、製造コストが高くつく上に、金属部分を拡径するために変形時や拡径器具の引き抜き時に大きい力を必要とする。
【０００６】
こうした課題を解決するためになされたのが特許文献２に開示の防食スリーブである。即ち、当該防食スリーブは金属スリーブの外周に挿通方向に向かって大径および小径の段差を設けると共に、これに対応して樹脂スリーブの内周に挿通方向に向かって小径および大径の段差を設けた構造からなり、当初より樹脂スリーブと金属スリーブが一段だけ組み合わされているので、これをガイドとして特殊な治具を必要とせず、金属スリーブをさらに一段分だけ押し込むといった簡単な作業で、樹脂スリーブを本管の開孔に密着可能に拡径させ、スリーブの装着作業を行うことができる。しかしながら、金属スリーブの押し込み作業には樹脂スリーブを一気に拡径させるための相当な力が必要であり、また開孔との密着に確実性を持たせるためには、これに見合った拡径の程度を予め設定しておく必要があり、これより大きな開孔には適用しない上、樹脂スリーブの上段の拡径の度合いも極めて小さいため、当該上段での密着性も完全でない場合が生ずる。
【０００７】
本発明は上述した金属スリーブの押し込み時に段差によって樹脂スリーブを拡径可能な二重構造の防食スリーブの改良に関するものであって、その目的とするところは、より押し込み作業をしやすくすると共に、拡径の程度も大きく確保して密着性の向上と汎用性のある防食スリーブを提供することである。
【課題を解決するための手段】
【０００８】
上述した目的を達成するために本発明では、円筒状の樹脂スリーブと、この樹脂スリーブの内周に密に挿入される金属スリーブからなる二重構造の防食スリーブにおいて、その外周面に上方に向かって漸次拡径するくさび部を形成してなり、前記樹脂スリーブを拡径可能に密挿するように構成するという手段を用いた。金属スリーブは、スリーブとしての剛性を確保する機能を有し、樹脂スリーブは水道本管等に穿孔された開孔に対する密着性を確保する機能を有することは従来の防食スリーブと同じであり、金属スリーブを樹脂スリーブに押し込んで挿入することによってくさび部によって樹脂スリーブを拡径し、これによってスリーブを開孔に密着させる。
【０００９】
なお、くさび部は金属スリーブの上下全域に亘って設けることも可能であるが、樹脂スリーブはその内周面を上段大径部と下段小径部の二段に構成する一方、金属スリーブはその外周面を前記上段大径部と下段小径部の段差に予め係合される下端係合部と、前記上段大径部に予め挿通され、且つ、前記下段小径部を拡径可能に密挿される中間円筒部と、前記上段大径部を拡径可能に密挿される上段くさび部の三段に構成するという手段を用いることも可能である。この手段によれば、金属スリーブは樹脂スリーブの上端から挿通され、下端係合部が前記段差に係合した状態、即ち、中間円筒部が上段大径部に挿通された状態で樹脂スリーブにセットされる。そして、このセット状態から金属スリーブを押し込むことによって、中間円筒部により樹脂スリーブの下段小径部が拡径されると共に、樹脂スリーブの上段大径部は上段くさび部によって拡径される。
【００１０】
上記のように樹脂スリーブの内周を二段構成、金属スリーブの外周を三段構成とした場合は、樹脂スリーブの内周面における上段大径部と金属スリーブの上段くさび部の高さを一致させるという手段を用いることが好ましい。
【００１１】
また、樹脂スリーブの外周面上段に肉厚の膨成部を設けることによって、該膨成部が拡開することによって開孔の上面においてもサドル分水栓の通水口等に対する密着性が高まる。
【００１２】
金属スリーブの外周に環状凸部を設けると共に、該金属スリーブを樹脂スリーブに所定量挿通した状態において、樹脂スリーブの内周には前記環状凸部が係脱可能な環状凹溝を設けるという手段では、前記凹凸部の係合によって、金属スリーブを所定量樹脂スリーブに挿通した状態で両者を分離不能にセットできる。押し込み作業前において一製品としての扱いが良好である。
【発明の効果】
【００１３】
上述した構成の本発明によれば、金属スリーブに樹脂スリーブを拡径可能なくさび部を設けたので、押し込み作業時、徐々に樹脂スリーブを拡径できるから従来のように急激に押し込み力が増すこともなく、より簡単に作業を行うことができると共に、くさび部の形成範囲や傾斜の度合いに応じて樹脂スリーブの拡径範囲や拡径度合いも調整でき、汎用性が増す。
【００１４】
また、樹脂スリーブの内周を二段構成とし、金属スリーブの外周を三段構成としたものにあっては、金属スリーブを樹脂スリーブに所定量挿通した状態でセットできると共に、金属スリーブの押し込み作業時、くさび部による上段大径部の拡径を行えば、自ずと中間円筒部による下段小径部の拡径も同時に進行するため、作業が楽で、且つ、密着性も高い。これは上段大径部と上段くさび部の高さを一致させたときに、もっとも合理的に行われる。
【００１５】
さらに樹脂スリーブの外周面上段に肉厚の膨成部を設けることによって、開孔の上面においてボール弁の通孔よりも大きくサドル分水栓の通水口等が設定された場合でも、前記通水口等に対する密着性が高まる。
【００１６】
さらにまた、金属スリーブの外周に環状凸部を設けると共に、該金属スリーブを樹脂スリーブに所定量挿通した状態において、樹脂スリーブの内周には前記環状凸部が係脱可能な環状凹溝を設けたものにあっては、前記凹凸部の係合によって、金属スリーブを所定量樹脂スリーブに挿通した状態で両者を分離不能にセットできるから、押し込み作業前において一製品としての扱いが良好である。
【発明を実施するための最良の形態】
【００１７】
以下、本発明の好ましい実施の形態を添付した図面に従って説明する。図１、２は本発明の一実施形態に係る防食スリーブの半裁断面図であり、図中、１は樹脂スリーブ、２は該樹脂スリーブ１に密挿可能な金属スリーブである。
【００１８】
樹脂スリーブ１は、内周面を上段大径部１ａと下段小径部１ｂの二段で構成している。また、外周面には上段大径部１ａと高さを同じにして肉厚の膨成部１ｃを形成しており、結果的に二段構成としている。なお、膨成部１ｃにより発生する段１ｄは水道本管等に穿孔した開孔に樹脂スリーブ１を挿入する際の位置決めとして機能する。さらに、内周面の上段大径部１ａと下段小径部１ｂとの段１ｅの下方に位置して、下段小径部１ｂの上方寄りには環状凹溝１ｆを形成している。
【００１９】
一方、金属スリーブ２は、内周面が正確に円筒形状である一方、その外周面には最下端に前記環状凹溝１ｆと係脱可能に係合する環状凸部２ａが設けられ、ここから上に向かって、前記段１ｅと係合する下端係合部２ｂと、中間円筒部２ｃと、くさび部２ｄの三段構成となっている。さらに、上端にはフランジ２ｅが設けられている。中間円筒部２ｃは、予め樹脂スリーブ１の上段大径部１ａに挿通されて、環状凸部２ａおよび下端係合部２ｂによる係合により金属スリーブ２を樹脂スリーブ１にセットした状態を維持すると共に、押し込みにより下段小径部１ｂを拡径可能な形状からなる。また、くさび部２ｄは、上方に向かって徐々に拡径するように傾斜した形状であって、セット状態にあっては樹脂スリーブ１から露出しており、押し込みにより樹脂スリーブ１の上段大径部１ａを拡径する。さらに、この実施形態の場合、くさび部２ｄは上段大径部１ａ（膨成部１ｃ）と同じ高さに形成している。
【００２０】
図３、４は、水道本管Ｐに穿孔された開孔３に本防食スリーブを嵌挿するところを示したものであり、先ず樹脂スリーブ１と金属スリーブ２を予め一段だけ組み合わせた状態を製品として、これを開孔３に嵌合し、続いて金属スリーブ２を樹脂スリーブ１の内側に治具のピストンなどを利用してさらに押し込む。図４が作業完了の状態を示している。
【００２１】
なお、図中、４は水道本管Ｐに装着されたサドル分水栓の上側バンド、５は該上側バンド４に装着されたボール弁、６は上側バンド４に内蔵されたドーナッツ状のパッキン、７はパッキン６とボール弁５の開口部の間に介装された通水リングであり、通水リング７の上端には外側に湾曲したフランジが形成され、内径はボール弁５の開口部よりもやや大径に設定されている。
【００２２】
而して、樹脂スリーブ１の外周段１ｄが水道本管Ｐの外周面頂部に係合するまで、ボール弁５の内部通路を通して本防食スリーブを開孔３に嵌挿し、金属スリーブ２を押し込めば、樹脂スリーブ１の下段小径部１ｂは金属スリーブ２の中間円筒部２ｃにより拡径されて開孔３と密着すると共に、フランジ２ｅによって押し込みが抑制されるまで、金属スリーブ２を押し込むことにより、樹脂スリーブ１の上段大径部１ａが金属スリーブ２のくさび部２ｄによって拡径されて通水リング７と密着し、樹脂スリーブ１と開孔３が密着した状態で本防食スリーブの装着が完了する。
【００２３】
なお、上記実施形態は本発明の一例であって、金属スリーブ２の外周全域をくさび部としてもよい。この場合、樹脂スリーブ１の内周も二段に構成する必要はなく、正確に円筒状とすることも可能である。
【００２４】
ところで、樹脂スリーブ１の素材としては、金属スリーブ２を押し込んでも座屈しない程度の硬質さが必要である。また、金属スリーブ２を押し込んだ場合に破断しない程度の弾性あるいは変形性が必要である。例えば、硬質合成樹脂として硬質ポリプロピレンやポリエチレンなどが適切な素材の一例として挙げることができる。また、金属スリーブ２の素材としては、ステンレス製とすることによって、確実な防食を維持するため、好ましい。
【図面の簡単な説明】
【００２５】
【図１】本発明の一実施形態に係る防食スリーブの半裁断面図（セット状態）
【図２】本発明の一実施形態に係る防食スリーブの半裁断面図（押し込み状態）
【図３】本防食スリーブを水道本管の開孔に嵌挿した状態を示した図（押し込み作業前）
【図４】同、押し込み作業後の装着状態を示した図
【符号の説明】
【００２６】
１  樹脂スリーブ
１ａ  上段大径部
１ｂ  下段小径部
１ｃ  膨成部
１ｄ  膨成部の段
１ｅ  上段大径部と下段小径部の段
１ｆ  環状凹溝
２  金属スリーブ
２ａ  環状凸部
２ｂ  下端係合部
２ｃ  中間円筒部
２ｄ  くさび部
２ｅ  フランジ
Ｐ  水道本管
３  開孔
４  サドル分水栓の上側バンド
５  ボール弁
６  パッキン
７  通水リング
【図１】
2006010047.tif 000003
【図２】
2006010047.tif 000004
【図３】
2006010047.tif 000005
【図４】
2006010047.tif 000006